(57)【要約】【課題】複数の施設を運営している業者や、商社などコメの搗精を委託している業者であっても、簡便に各施設の稼働状況を把握し、原価管理や経営管理に活かすことのできる管理システムの提供。【解決手段】複数の精米施設の生産管理を行う基幹コンピュータシステム４０と、特定の精米施設でのみ生産計画、生産管理及び品質管理を行うコンピュータシステム２０と、前記特定の精米施設とは異なる精米施設でのみ生産計画、生産管理及び品質管理を行うコンピュータシステム３０と、前記基幹コンピュータシステムを閲覧するための携帯情報端末５０とが、所定のネットワーク６０によって相互に通信可能となっている精米施設の生産管理システム１０。【選択図】図１
2020059013.tif 000002
【特許請求の範囲】
【請求項１】
複数の精米施設の生産管理を行う基幹コンピュータシステムと、特定の精米施設でのみ生産計画、生産管理及び品質管理を行うコンピュータシステムと、前記特定の精米施設とは異なる精米施設でのみ生産計画、生産管理及び品質管理を行うコンピュータシステムと、前記基幹コンピュータシステムを閲覧するための携帯情報端末とが、所定のネットワークによって相互に通信可能となっている精米施設の生産管理システムであって、
前記基幹コンピュータシステムは、前記特定の精米施設及び前記特定の精米施設とは異なる精米施設からなる複数の精米施設を一括して稼働管理することを特徴とする精米施設の生産管理システム。
【請求項２】
前記基幹コンピュータシステムは、前記精米施設に搬入される原料穀物を、精米施設を特定するための工場の固有識別情報と、原料穀物の仕入れ先情報との少なくとも２つの情報を関連付けてデータ管理してなる請求項１記載の精米施設の生産管理システム。
【請求項３】
前記基幹コンピュータシステムは、前記原料穀物の仕入れ先情報に基づいてデータ抽出を行い、特定の商社が関与するトレース情報を表示してなる請求項２記載の精米施設の生産管理システム。
【発明の詳細な説明】
【技術分野】
【０００１】
本発明は、精米施設の生産管理システムに関し、詳しくは、複数の精米施設の稼働状況を把握し、原価管理や経営管理に活かすことのできる生産管理システムに関する。
【背景技術】
【０００２】
従来、精米施設（精米工場）における効率化を目的として、生産計画や生産管理を行うコンピュータシステムや、品質管理を目的として、製造履歴（トレーサビリティ）検索を行うコンピュータシステムが知られている（特許文献１、２、３、４等を参照）。
【０００３】
しかし、これらコンピュータシステムにあっては、単一の精米施設の稼働管理を想定しているものであった。したがって、複数の施設を運営している精米業者は各施設ごとに表計算ソフトや手作業で数値を集計するなど煩雑な稼働管理を行わざるを得ず、複数の施設を一括して稼働管理することができなかった。また、商社などコメの搗精を委託している業者は、委託先での精米施設の稼働状況や製造履歴を見ることができなかった。
【先行技術文献】
【特許文献】
【０００４】
【特許文献１】特開２００５−２８８２４５号公報
【特許文献２】特開２００７−１９６１９４号公報
【特許文献３】特開２０１７−２０５７２４号公報
【特許文献４】特開２０１８−１４０２８号公報
【発明の概要】
【発明が解決しようとする課題】
【０００５】
本発明は上記問題点にかんがみ、複数の施設を運営している業者や、商社などコメの搗精を委託している業者であっても、簡便に各施設の稼働状況を把握し、原価管理や経営管理に活かすことのできる管理システムを提供することを技術的課題とする。
【課題を解決するための手段】
【０００６】
上記課題を解決するため本発明は、複数の精米施設の生産管理を行う基幹コンピュータシステムと、特定の精米施設でのみ生産計画、生産管理及び品質管理を行うコンピュータシステムと、前記特定の精米施設とは異なる精米施設でのみ生産計画、生産管理及び品質管理を行うコンピュータシステムと、前記基幹コンピュータシステムを閲覧するための携帯情報端末とが、所定のネットワークによって相互に通信可能となっている精米施設の生産管理システムであって、
前記基幹コンピュータシステムは、前記特定の精米施設及び前記特定の精米施設とは異なる精米施設からなる複数の精米施設を一括して稼働管理する、という技術的手段を講じた。
【０００７】
請求項２記載の発明は、前記基幹コンピュータシステムが、前記精米施設に搬入される原料穀物を、精米施設を特定するための工場の固有識別情報と、原料穀物の仕入れ先情報との少なくとも２つの情報を関連付けてデータ管理することを特徴とする。
【０００８】
請求項３記載の発明は、前記基幹コンピュータシステムが、前記原料穀物の仕入れ先情報に基づいてデータ抽出を行い、特定の商社が関与するトレース情報を表示することを特徴とする。
【発明の効果】
【０００９】
本発明の請求項１記載の精米施設の生産管理システムでは、各精米施設の生産計画、生産管理及び品質管理を行うコンピュータシステムと、前記基幹コンピュータシステムとを、所定のネットワークを介して相互に通信可能な構成としたので、商社などコメの搗精を複数の精米施設に委託している業者であっても、委託先ごとの精米施設の稼働状況や製造履歴を閲覧することができる。これにより、複数の精米施設の原価管理や経営管理に活かすことができる。
【００１０】
また、請求項２記載の精米施設の生産管理システムでは、前記基幹コンピュータシステムが、前記精米施設に搬入される原料穀物を、精米施設を特定するための工場の固有識別情報と、原料穀物の仕入れ先情報との少なくとも２つの情報を関連付けてデータ管理するため、各精米施設への原料穀物の搬入時、まず最初に、工場の固有識別情報及び仕入れ先情報の２つの情報を前記原料穀物に付与しさえすれば、商社など委託業者側では、以後の精米、混米、計量及び包装の各工程における稼働状況を捉えて、原料穀物の仕入れ先情報に基づいた各精米施設の利益額を把握することができる。
【００１１】
さらに、請求項３記載の精米施設の生産管理システムでは、前記基幹コンピュータシステムが、前記原料穀物の仕入れ先情報に基づいてデータ抽出を行い、特定の商社が関与するトレース情報を表示するため、精米加工時の加工日時，使用する精米機の機種，水分，白度，搗精度，歩留りなどの精米加工情報、各商品ごとに決定した品種の配合割合などを示す混米情報、どのくらいの量を精米加工したのかの製品重量、製品出荷想定袋数などを示す計量情報、包装した製品・在庫状況を把握する包装情報、工場出荷日時、出荷先を示す出荷情報など、特定の商社が関与する原料穀物の製造履歴管理をすることが可能になる。    
【図面の簡単な説明】
【００１２】
【図１】本発明の一実施形態に係る精米の生産管理システムを概略的に示す説明図である。
【図２】図１の精米生産管理システムの作用を概略的に示す模式図である。
【図３】基幹コンピュータシステムのモニタ画面に表れる精米生産確認画面である。
【図４】精米生産確認画面から仕入れ先情報に基づいてデータ抽出を行ったトレース画面である。
【図５】第２実施形態の精米生産管理システムの作用を概略的に示す模式図である。
【図６】第２実施形態の精米施設において、各工程を経る毎にロット番号が次々と更新される事例を示す図である。
【発明を実施するための形態】
【００１３】
［第１実施形態］
以下、本発明の精米施設の生産管理システムを具体化した実施形態について図面を参照して説明する。
本実施形態に係る精米施設の生産管理システム１０は、複数の精米施設を運営している業者や、各地の精米施設にコメの搗精を委託している商社が精米の生産管理を行う基幹コンピュータシステム４０と、特定の精米施設ａでのみ生産計画、生産管理及び品質管理を行い、当該施設内でのみ製造履歴（トレーサビリティ）検索を行うコンピュータシステム２０と、精米施設ａとは異なる特定の精米施設ｂでのみ生産計画、生産管理及び品質管理を行い、当該施設内でのみ製造履歴（トレーサビリティ）検索を行うコンピュータシステム３０と、携帯情報端末５０とが、インターネット等の所定のネットワーク６０によって相互に通信可能となっている。前記基幹コンピュータシステム４０は、前記複数の施設（例えば、特定の精米施設ａ及び特定の精米施設ｂ）を一括して稼働管理するよう構成されたシステムである。
【００１４】
基幹コンピュータシステム４０は、上記複数の精米施設（特定の精米施設ａ及び特定の精米施設ｂ）を運営している業者や商社等によって管理されているから、その取り扱うデータ量も多くなるために、データ蓄積用の大容量のデータサーバ４１を設置している。そして、基幹コンピュータシステム４０は、周知のコンピュータシステムでよく、ＣＰＵ等からなる制御部、液晶モニタ等として構成される表示部、マウスやキーボード等として構成される操作部、記憶部、通信部などを備えて構成している。
【００１５】
次に、基幹コンピュータシステム４０と、特定の精米施設ａのコンピュータシステム２０及び特定の精米施設ｂのコンピュータシステム３０との間でデータ管理を行うフローについて図２を参照して説明する。
【００１６】
図２に示すように、特定の精米施設ａ用のコンピュータシステム２０には、最初に原料となる玄米の仕入れ先情報Ｓｉが入力される。仕入れ先情報Ｓｉとしては、各農家から集荷した玄米を農業協同組合（農協又はＪＡという）から入手したものであるか、又は、各農家からの直接買い付けにより集荷した玄米を商社から入手したものであるかを指し示す。仕入れ先情報Ｓｉの詳細な付加情報Ｆｕとして、米粒情報（米粒の品質ランク、食味値、生産者名、生産年、生産地、品種、栽培方法、減農薬対象、化学肥料）を取得してもよい。
【００１７】
次に、精米施設ａの荷受部において、入荷した玄米のロット番号情報Ｌｏが入力される。玄米は、１トン容量のフレキシブルコンテナ容器に詰め込まれて流通することが多く、精米施設ａで荷受したとき、入荷したフレキシブルコンテナ１トンごとに１ロットとしてロットナンバーを付与し、ロット毎の品質管理を行う方式を採用する。これにより、後工程の製造履歴（トレーサービリティ）管理（製品の所在を明らかにすること）をすることが可能になる。なお、これに限らず、３０ｋｇ容量の紙袋で換算した重量（例えば、１．２トンを１ロットとすれば、３０ｋｇの紙袋が４０袋を１ロット単位とするなど）で適宜ロットを決定するとよい。
【００１８】
そして、荷受した玄米が精米施設ａで精米加工が行われるか又は精米施設ｂで精米加工が行われるのかを示す施設（工場）固有の識別情報Ｆａを付与するようにするとよい。
【００１９】
さらに、コンピュータシステム２０には、精米加工時の加工日時、使用する精米機の機種、水分、白度、搗精度、歩留りなどの精米加工情報Ｋaや、各商品ごとに決定した品種の配合割合などを示す混米情報Ｋoや、どのくらいの量を精米加工したのかの製品重量、製品出荷想定袋数などを示す計量情報Ｋeや、包装した製品と在庫状況とを把握して生産計画などを示す包装情報Ｈoや、工場出荷日時、出荷先などを示す出荷情報Ｓuなどが入力される。
【００２０】
同様に、特定の精米施設ｂ用のコンピュータシステム３０にも、仕入れ先情報Ｓｉ、ロット番号情報Ｌｏ、工場固有の識別情報Ｆｂ、精米加工情報Ｋa、混米情報Ｋo、計量情報Ｋe、包装情報Ｈo及び出荷情報Ｓuが入力されている。
【００２１】
そして、図１、図２に示すように、前記コンピュータシステム２０及び３０は、インターネット等の所定のネットワーク６０によって相互に通信可能となっている。同様に、上記複数の精米施設を運営している業者や商社等によって管理される基幹コンピュータシステム４０についても、インターネット等の所定のネットワーク６０によって相互に通信可能となっている。これにより、遠隔地から精米施設ａ又はｂの各種情報を取得したり、遠隔地から各種情報を編集して閲覧可能となっている。
【００２２】
なお、図１、図２に示す携帯情報端末５０は、例えば、携帯電話やスマートフォン、タブレット端末など無線通信機能を有する携帯型の情報処理端末を想定しているが、コンピュータシステム２０、コンピュータシステム３０、基幹コンピュータシステム４０及びデータサーバ４１に蓄積されるデータを安易に書き換え可能とすると、信頼性が損なわれるので、携帯情報端末５０では書き換え不可とするように、読み込み（閲覧）専用の権限に設定するのが望ましい。
【００２３】
図３は、基幹コンピュータシステム４０のモニタ画面に表れる精米生産確認画面１００であり、図４は、図３の精米生産確認画面１００から仕入れ先情報を基に抽出したトレース画面２００である。この画面１００には、各精米施設（ａ又はｂ）に搬入される際、仕入れ先情報から得られるロット毎の原料穀物の特性と、該原料穀物が前記精米施設にてロット毎処理された際に使用される運転パラメータと、精米施設から搬出されるロット毎の製品穀物の特性と、が対応付けられて表示される。
【００２４】
図３の精米生産確認画面１００には、工場固有の識別情報Ｆ（施設ａか、施設ｂか又は施設ｃかの表示）、ロット番号Ｌｏ、原料の仕入れ先情報Ｓｉ、付加情報Ｆｕ、及び精米加工情報Ｋaなどが表示されている。なお、図３に図示されていないが、精米加工情報Ｋａに引き続いて、混米情報Ｋo、計量情報Ｋe、包装情報Ｈo及び出荷情報Ｓuなどを列記してもよい。そして、画面１００の下段には、本日の稼働状況表示ボタン１０１、当月の売上高表示ボタン１０２、在庫状況表示ボタン１０３、仕入れ先トレースボタン１０４、及び終了ボタン１０５が設けられている。図３の仕入れ先トレースボタン１０４を押し下げると、仕入れ先情報を基に抽出したトレース画面２００（図４）が表れる。
【００２５】
図４のトレース画面２００は、精米生産確認画面１００から仕入れ先情報（例えば、原料の仕入れ先が商社Ｚである）に基づいてデータ抽出を行ったトレース画面である。トレース画面２００には、標題Ｈの下に表２０１が表示され、この表２０１には、工場固有の識別情報Ｆ、ロット番号Ｌｏ、付加情報Ｆｕ、精米加工情報Ｋa、混米情報Ｋo、及び包装情報Ｈoなどが表示されている。表２０１の下段には、当月の売上高表示ボタン２０２、在庫状況表示ボタン２０３、及び終了ボタン２０４が設けられるとともに、商社Ｚが関与する加工利益費表示部２０５、内訳費用表示部２０６も設けられている。
【００２６】
そして、図４のトレース画面２００は、加工利益費表示部２０５に精米の加工利益費が表示され、内訳費用表示部２０６に工場経費や人件費などが表示されるようになっている。すなわち、商社Ｚにとっては、精米の生産方法、販売方法その他の事業活動に有用な技術上又は営業上の情報であるから、公然と知られないように秘密に管理することが重要である。したがって、商社Ｚに関与しない外の者が閲覧できないような閲覧権限を付与するのが重要である。
【００２７】
次に、上記実施形態における管理システムの作用について説明する。複数の工場を運営している業者や、商社などコメの搗精を委託している業者は、予め基幹コンピュータシステム４０と、特定の精米施設ａでのみ生産計画、生産管理及び品質管理を行うコンピュータシステム２０と、特定の精米施設ｂでのみ生産計画、生産管理及び品質管理を行うコンピュータシステム３０と、の間をネットワーク６０によって相互に通信可能とするシステムを構築しておく。
【００２８】
そして、商社などコメの搗精を委託している業者が基幹コンピュータシステム４０内のアプリケーションプログラムを起動させると、各工場の稼働状況を一覧で把握することができ、原価管理や経営管理に活かせる有用な情報が取得される。
まず、原料玄米の仕入れ時、入荷作業者が施設ａ（又はｂ）にあるコンピュータシステム２０（又は３０）のマウス、キーボード又はバーコード読み取り装置などを利用して原料となる玄米をどこから入手したものであるかの仕入れ先情報Ｓｉを取得する。これと同時に、工場固有の識別情報Ｆとロット番号Ｌｏとを取得する。これにより、原料となる玄米（例えば、１トン容量のフレキシブルコンテナに詰め込まれた玄米）を、ロット番号Ｌｏと工場固有の識別情報Ｆと仕入れ先情報Ｓｉの３つの情報で関連付けて特定することが可能となる。
【００２９】
次に、ロット番号Ｌｏと工場固有の識別情報Ｆと仕入れ先情報Ｓｉの３つの情報で関連付けられた玄米は、精米施設の加工作業者によって、さらに、精米加工時の加工日時、使用する精米機の機種、水分、白度、搗精度、歩留りなどの精米加工情報Ｋaや、各商品ごとに決定した品種の配合割合などを示す混米情報Ｋoや、どのくらいの量を精米加工したのかの製品重量、製品出荷想定袋数などを示す計量情報Ｋeや、包装した製品と在庫状況とを把握して生産計画などを示す包装情報Ｈoや、工場出荷日時、出荷先などを示す出荷情報Ｓuなどの加工情報が関連付けられる。
【００３０】
そして、コンピュータシステム２０（又は３０）に一時的に保管されたデータは、基幹コンピュータシステム４０へ情報が送信され、図３に示すような統合されたデータベースとなる。
【００３１】
次に、商社Ｚの経営部門、経理部門の担当者は、図３の統合データベースから仕入れ先情報に基づき、商社Ｚに特化した有用情報に加工する（図４）。
【００３２】
図４を参照すると、工場固有識別情報Ｆの欄には施設ａと施設ｂの識別情報の記載があり、複数の工場のデータを取り込んで一括管理していることが分かる。すなわち、商社Ｚなど複数の施設でコメの搗精を委託している業者であっても、簡便に各工場の稼働状況を把握することができる。また、図４のトレース画面２００には、商社Ｚの関与する加工利益費表示部２０５及び内訳費用表示部２０６が設けられ、一目で利益額が把握でき、原価管理や経営管理に活かすことができる。
【００３３】
［第２実施形態］
第２実施形態では、精米施設の各工程を経る毎に、ロット番号が次々と更新されていく事例を示す。この事例では、精米施設の各工程を経る毎に、新規なロット番号が生成されてくる。このため、仕入れ先情報を取得する際の紐付は、ロット番号を必ずしも取得する必要がない。
【００３４】
図５、図６は、特定の精米施設Ａ用のコンピュータシステム２０や精米施設Ｂ用のコンピュータシステム３０に各精米の工程を経る毎に、新規なロット番号が付与される事例を示す。
【００３５】
精米施設Ａ用のコンピュータシステム２０において、まず、最初に各処理を識別する基礎として、工場固有識別情報Ｆと、仕入れ先情報Ｓｉと、の２つの情報が挙げられる。
【００３６】
図６の「精米施設Ａに付属するコンピュータ２０のデータ処理画面」の表を参照すると、その一行目には搬入されてくる原料玄米の情報が記載される。一行目の末尾にある原料玄米の仕入れ先情報Ｓｉ「仕入れ先Ｚ」には、まず、工場固有の識別情報Ｆのうち精米施設Ａで処理されることを示す識別情報「Ａ」が付与される。次に、張込工程におけるロット番号「１２２３００１」、投入タンク情報「ＡＡ０１」、投入重量「３，０００」、経歴「新潟県産コシ１等紙３０ｋｇ」がそれぞれ付与される。
【００３７】
二行目には、一行目（前工程）の張込情報に加えて、本工程の精米工程の情報が付与される。取出ロットの欄には、投入タンク「ＡＡ０１」にあるロット番号「１２２３００１」の原料玄米を利用することが示される。次いで、同様の工場固有の識別情報「Ａ」、新規なロット番号「１２２３００２」、投入タンク情報「ＢＡ０１」、投入重量「２，７００」、取出重量「３，０００」、経歴「新潟県産コシ１等紙３０ｋｇ」、付加情報「白米水分１４．５％」が付与される。
【００３８】
三行目には、二行目（前工程）の精米情報に加えて、本工程のブレンド工程の情報が付与される。取出ロットの欄には、投入タンク「ＢＡ０１」にあるロット番号「１２２３００２」の精米を利用することが示される。次いで、同様の工場固有の識別情報「Ａ」、新規なロット番号「１２２３００３」、投入タンク情報「ＣＡ０１」、投入重量「１，０００」、取出重量「１，０００」、経歴「コシブレンド」、付加情報「５０％」が付与される。
【００３９】
四行目には、三行目（前工程）のブレンド工程と同様のブレンド工程の情報が付与されるが、取出ロットが三行目とは異なるものとなっている。取出ロットの欄には、図外のロット番号「１２２２０４２」の精米を利用することが示される。次いで、同様の工場固有の識別情報「Ａ」、上記同様のロット番号「１２２３００３」、投入タンク情報「ＣＡ０１」、投入重量「１，０００」、取出重量「１，０００」、経歴「コシブレンド」、付加情報「５０％」が付与される。
【００４０】
五行目には、三行目及び四行目（前工程）のブレンド工程に加えて、本工程の包装工程の情報が付与される。取出ロットの欄には、投入タンク「ＣＡ０１」にあるロット番号「１２２３００３」のブレンド米を利用することが示される。次いで、同様の工場固有の識別情報「Ａ」、新規なロット番号「１２２３００４」、投入タンク情報「Ｓｅｉ１」、投入重量「５００」、取出重量「５００」、経歴「業務用米」、付加情報「５ｋｇ１００袋」が付与される。
【００４１】
六行目には、原料玄米の仕入れ先情報Ｓｉに前記「仕入れ先Ｚ」とは異なる、新たな「仕入れ先Ｙ」を受け入れ処理されることが記載されている。この際、段落００３４の記載と同様の処理が行われる。すなわち、工場固有の識別情報Ｆのうち精米施設Ａで処理されることを示す識別情報「Ａ」が付与され、次に、張込工程におけるロット番号「１２２３００５」、投入タンク情報「ＡＡ０３」、投入重量「９００」、経歴「宮城県産ササ１等紙３０ｋｇ」がそれぞれ付与される。
【００４２】
次に、図６の「精米施設Ｂに付属するコンピュータ３０のデータ処理画面」の表を参照する。その一行目には搬入されてくる原料玄米の情報が記載される。仕入れ先情報Ｓｉ「仕入れ先Ｚ」には、まず、工場固有の識別情報Ｆのうち精米施設Ｂで処理されることを示す識別情報「Ｂ」が付与される。次に、荷受工程におけるロット番号「１２２３００１」、投入タンク情報「ＡＡ０１」、投入重量「３，０００」、経歴「新潟コシ１等紙３０ｋｇ」がそれぞれ付与される。
【００４３】
二行目には、一行目の荷受情報に加えて、本工程の玄米精選工程の情報が付与される。取出ロットの欄には、投入タンク「ＡＡ０１」にあるロット番号「１２２３００１」の原料玄米を利用することが示される。次いで、同様の工場固有の識別情報「Ｂ」、新規なロット番号「１２２３００２」、投入タンク情報「ＢＡ０１」、投入重量「２，９４０」、取出重量「３，０００」、経歴「新潟コシ１等紙３０ｋｇ」が付与される。
【００４４】
三行目には、二行目の玄米精選情報に加えて、本工程の精米工程の情報が付与される。取出ロットの欄には、投入タンク「ＢＡ０１」にあるロット番号「１２２３００２」の精選玄米を利用することが示される。次いで、同様の工場固有の識別情報「Ｂ」、新規なロット番号「１２２３００３」、投入タンク情報「ＣＡ０２」、投入重量「２，６５０」、取出重量「２，９４０」、経歴「新潟コシ１等紙３０ｋｇ」、付加情報「白米水分１４．５％」が付与される。
【００４５】
四行目には、三行目の精米情報に加えて、本工程の白米精選工程の情報が付与される。取出ロットの欄には、投入タンク「ＣＡ０２」にあるロット番号「１２２３００３」の精米を利用することが示される。次いで、同様の工場固有の識別情報「Ｂ」、新規なロット番号「１２２３００４」、投入タンク情報「ＤＡ０３」、投入重量「１，０００」、取出重量「１，０００」、経歴「新潟コシ」、付加情報「１００％」が付与される。
【００４６】
五行目には、四行目の白米精選した精米を用いて、包装工程を行う工程の情報が付与される。取出ロットの欄には、投入タンク「ＣＡ０２」にあるロット番号「１２２３００３」の精米を利用することが示される。次いで、同様の工場固有の識別情報「Ｂ」、新規なロット番号「１２２３００５」、投入タンク情報「ＺＡ０１」、投入重量「５００」、取出重量「５００」、経歴「新潟県産コシヒカリ」、付加情報「１０ｋｇ５０袋」が付与される。
【００４７】
次に、図６の「商社Ｃに付属するコンピュータ４０のデータ処理画面」について説明する。このデータ処理画面は、前記精米施設Ａに付属するコンピュータシステム２０及び前記精米施設Ｂに付属するコンピュータシステム３０に一時的に保管されたデータを統合したデータベースである。これは、基幹コンピュータシステム４０により処理されることとなる。
なお、図５の符号４１に示すように、商社Ｃに付属する基幹コンピュータ４０は、精米施設Ａ用のコンピュータ２０と精米施設Ｂ用のコンピュータ３０のマスター登録がそれぞれバラバラに付与されていたものを、マスター登録を共通化するように修正するプログラム備えているのが好ましい。
【００４８】
図６の「精米施設Ａに付属するコンピュータ２０のデータ処理画面」には、仕入れ先情報Ｓｉとして「仕入れ先Ｚ」と「仕入れ先Ｙ」との２つの仕入れ先が存在し、図６の「精米施設Ｂに付属するコンピュータ３０のデータ処理画面」には、仕入れ先情報Ｓｉとして「仕入れ先Ｚ」のみが存在する。
【００４９】
前述のように、仕入れ先情報Ｓｉについては、精米施設に搬入されてくる原料玄米の情報であり、精米を行う際の最初の各処理の基礎となるものである。したがって、「仕入れ先Ｚ」と「仕入れ先Ｙ」とは、同じロット番号を承継することはないため、全く別物と区別されるものである。
【００５０】
したがって、図６の「商社Ｃに付属するコンピュータ３０のデータ処理画面」には、商社Ｚから仕入れた原料として、「仕入れ先Ｚ」に特化した有用情報が表れている。つまり、図６の「商社Ｃに付属するコンピュータ３０のデータ処理画面」の一覧表には、「仕入れ先Ｚ」に関連するロット番号「１２２３００１」を継承したコメに関する情報のみが表れていることになる。
【００５１】
そして、これらの情報は、商社Ｚの経営部門、経理部門の担当者により、図４のような経営や、経理に役立つ有用情報に加工するとよい。
【００５２】
以上のように本実施形態の精米施設の生産管理システム１０によれば、各精米施設の生産計画、生産管理及び品質管理を行うコンピュータシステム２０，３０と、複数の精米施設を運営している業者や商社が精米の生産管理を行う基幹コンピュータシステム４０とを、所定のネットワーク６０を介して相互に通信可能な構成としているので、商社などコメの搗精を複数の精米施設に委託している業者であっても、委託先ごとの精米施設の稼働状況や製造履歴を閲覧することができる。これにより、複数の精米施設の原価管理や経営管理に活かすことができるというメリットがある。
【００５３】
また、前記基幹コンピュータシステムが、前記精米施設に搬入される原料穀物を、精米施設を特定するための工場の固有識別情報と、原料穀物の仕入れ先情報との少なくとも２つの情報を関連付けてデータ管理するので、複数の精米施設の原価管理や経営管理に活かすとともに、精米施設に搬入される原料玄米の仕入れ先に特化した原価管理や経営管理を行うことができる。
【００５４】
以上、本発明のいくつかの実施形態について説明してきたが、上記の発明の実施形態は、本発明の理解を容易にするためのものであり、本発明を限定するものではない。本発明は、その趣旨を逸脱することなく、変更、改良され得るとともに、本発明の均等物が含まれる。また、上述した課題の少なくとも一部を解決できる範囲、または、効果の少なくとも一部を奏する範囲において、特許請求の範囲及び明細書に記載された各構成要素の組み合わせ、又は、省略が可能である。
【００５５】
例えば、建家内を精米機を設置した機械室と利用者が入る客室部とに仕切り、コインなどの料金を投入すると一定時間精米機が稼働して、お客が持ち込んだ玄米を精米処理することができる料金式精米設備（コイン精米設備）にも適用することができる。
【産業上の利用可能性】
【００５６】
本発明は、精米施設の生産管理システムに適用することができる。
【符号の説明】
【００５７】
１０  生産管理システム
２０  コンピュータシステム
３０  コンピュータシステム
４０  基幹コンピュータ
５０  携帯端末
６０  ネットワーク
１００  精米生産確認画面
１０１  本日の稼働状況表示ボタン
１０２  当月の売上高表示ボタン
１０３  在庫状況表示ボタン
１０４  仕入れ先トレースボタン
１０５  終了ボタン
２００  トレース画面
２０１  表
２０２  当月の売上高表示ボタン
２０３  在庫状況表示ボタン
２０４  終了ボタン
２０５  加工利益費表示部
２０６  内訳費用表示部
【図１】
2020059013.tif 000003
【図２】
2020059013.tif 000004
【図３】
2020059013.tif 000005
【図４】
2020059013.tif 000006
【図５】
2020059013.tif 000007
【図６】
2020059013.tif 000008